(57)【特許請求の範囲】
【請求項１】
ＨＳＳ／ＨＬＲ（Ｈｏｍｅ  Ｓｕｂｓｃｒｉｂｅｒ  Ｓｅｒｖｅｒ／Ｈｏｍｅ  Ｌｏｃａｔｉｏｎ  Ｒｅｇｉｓｔｅｒ）を備える無線ネットワークと移動端末（ｍｏｂｉｌｅ  ｓｔａｔｉｏｎ；ＭＳ）との間にＳＭＳ（Ｓｈｏｒｔ  Ｍｅｓｓａｇｉｎｇ  Ｓｅｒｖｉｃｅ）のためにＭＭＥ（Ｍｏｂｉｌｉｔｙ  Ｍａｎａｇｅｍｅｎｔ  Ｅｎｔｉｔｙ）を登録する信号を処理する方法であって、
前記ＳＭＳを支援するＭＳＣ（Ｍｏｂｉｌｅ  Ｓｗｉｔｃｈｉｎｇ  Ｃｅｎｔｅｒ）機能を備える前記ＭＭＥから前記ＨＳＳ／ＨＬＲに、位置更新要求（ｌｏｃａｔｉｏｎ  ｕｐｄａｔｅ  ｒｅｑｕｅｓｔ）を前記ＭＭＥ及びＨＳＳ／ＨＬＲ間のインターフェスを介して、結合ＴＡ（Ｔｒａｃｋｉｎｇ  Ａｒｅａ）及びＬＡ（Ｌｏｃａｔｉｏｎ  Ａｒｅａ）更新手順のために送信するステップと、
ＳＭＳ−ＳＣ（ＳＭＳ  Ｓｅｒｖｉｃｅ  Ｃｅｎｔｅｒ）またはＳＭＳ−ＧＭＳＣ／ＩＷＭＳＣ（ＳＭＳ  Ｇａｔｅｗａｙ  ＭＳＣ／Ｉｎｔｅｒｗｏｒｋｉｎｇ  ＭＳＣ）から前記ＭＭＥで、ＳＭＳシグナルリングを受信するステップとを含み、
前記ＳＭＳシグナルリングは、前記ＳＭＳ−ＳＣまたは前記ＳＭＳ−ＧＭＳＣ／ＩＷＭＳから、ＭＡＰ（Ｍｅｄｉａ  Ａｃｃｅｓｓ  Ｐｒｏｔｏｃｏｌ）とＤｉａｍｅｔｅｒプロトコールとの間のインターワーキング（ｉｎｔｅｒｗｏｒｋｉｎｇ）を提供するＩＷＦ（Ｉｎｔｅｒ−Ｗｏｒｋｉｎｇ  Ｆｕｎｃｔｉｏｎ）を介して受信される方法。
【請求項２】
前記ＭＡＰプロトコールは、前記ＳＭＳ−ＧＭＳＣ／ＩＷＭＳ及び前記ＳＭＳ−ＳＣのうちの何れか一つと前記ＩＷＦとの間で設定され、前記Ｄｉａｍｅｔｅｒプロトコールは、前記ＩＷＦ及び前記ＭＭＥの間で設定される請求項１に記載の方法。
【請求項３】
前記ＳＭＳシグナルリングは、ＳＧｓ（Ｓｅｒｖｉｃｅ  Ｇａｔｅｗａｙｓ）インターフェスを使用せずに前記ＭＭＥに受信される請求項１に記載の方法。
【請求項４】
前記ＭＭＥ及びＨＳＳ／ＨＬＲの間のインターフェスは、Ｓ６ａインターフェスである請求項１に記載の方法。
【請求項５】
前記ＴＡ更新手順は、ＰＳ領域（Ｐａｃｋｅｔ  Ｓｗｉｔｃｈｅｄ  ｄｏｍａｉｎ）手順に関連し、前記ＬＡ更新手順は、ＣＳ領域（Ｃｉｒｃｕｉｔ  Ｓｗｉｔｃｈｅｄ  ｄｏｍａｉｎ）手順に関連する請求項１に記載の方法。
【請求項６】
前記移動端末（ＭＳ）は、シングルモードＥ−ＵＴＲＡＮ装置である請求項１に記載の方法。
【請求項７】
前記移動端末は、ただＬＴＥ（Ｌｏｎｇ  Ｔｅｒｍ  Ｅｖｏｌｕｔｉｏｎ）のみを支援する端末である請求項６に記載の方法。
【請求項８】
前記ＭＳＣ機能は、無線インターフェス上においてＳＭＳシグナルリングを処理する機能とＤｉａｍｅｔｅｒインターフェス上においてＳＭＳシグナルリングを処理する機能のうち、少なくとも一つを含む請求項１に記載の方法。
【請求項９】
前記無線インターフェスは、ＳＭ−ＲＰ（ｓｈｏｒｔ  ｍｅｓｓａｇｅ  ｒｅｌａｙ  ｐｒｏｔｏｃｏｌ）及びＳＭ−ＣＰ（ｓｈｏｒｔ  ｍｅｓｓａｇｅ  ｃｏｎｔｒｏｌ  ｐｒｏｔｏｃｏｌ）のうち、少なくとも何れか一つを支援する請求項８に記載の方法。
【請求項１０】
前記ＰＳ及びＣＳ結合位置更新要求は、ＳＭＳ要求のための登録に関連した情報要素を含み、前記情報要素は、前記ＭＭＥが前記ＳＭＳを支援することを指示する請求項１に記載の方法。
【請求項１１】
前記ＰＳ及びＣＳ結合位置更新要求は、フラグ情報を含み、前記フラグ情報は、前記ＭＭＥが前記ＳＭＳを支援することを指示する請求項１に記載の方法。
【発明の詳細な説明】
【技術分野】
【０００１】
以下の明細書は、無線通信に関連する。
【背景技術】
【０００２】
背景技術によれば、特定の無線通信システムでは、ＳＭＳに関連した手順が完全かつ適切に支援されないという問題があった。また、Ｍ２Ｍ（Ｍａｃｈｉｎｅ−ｔｏ−Ｍａｃｈｉｎｅ）またはＭＴＣ（Ｍａｃｈｉｎｅ  Ｔｙｐｅ  Ｃｏｍｍｕｎｉｃａｔｉｏｎｓ）と呼ばれる通信技法は、特定の通信システムでは、完全かつ適切に支援されないという問題があった。
【発明の概要】
【発明が解決しようとする課題】
【０００３】
以下の技術的特徴は、無線通信において使用される装置及び方法に適用されることができる。具体的には、無線ネットワークとＭＳとの間でＳＭＳのためにＭＭＥを登録するための信号を処理する方法を提案する。この方法におけるＭＭＥは、ネットワークと移動端末との間でＳＭＳを支援するために、ＭＳＣの機能を有するエンティティまたは階層により具現化される。このような特徴は、ＭＴＣ装置トリガーリングのようにＭＴＣまたはＭ２Ｍ特徴に適用されることができる。
【０００４】
ＭＭＥは、ネットワークと移動端末との間でＳＭＳを支援するために新しく定義され、前記ＭＭＥがＳＭＳを支援するという情報を指示するＰＳ及びＣＳ結合位置更新要求をＭＭＥとＨＳＳ／ＨＬＲとの間のインターフェス（例えば、Ｓ６ａ）を介して、結合ＴＡ及びＬＡ更新手順の一部として送信する。
【０００５】
ＭＭＥがＳＭＳメッセージに関連したＳＭＳシグナルリングを受信するとき、このようなシグナルリングは、ＩＷＦに伝達される。ＩＷＦは、ＭＡＰインターフェスとＤｉａｍｅｔｅｒインターフェスとの間でインターワーキングを行う。ＩＷＦによって、ＳＧｓインターフェスは不要となる。ＭＭＥがＤｉａｍｅｔｅｒインターフェスを使用してＩＷＦを介してＳＭＳシグナルリングを受けるからである。
【０００６】
ネットワークと移動端末との間でＳＭＳを支援するために新しく定義されるＭＭＥは、前記ＭＭＥがＳＭＳを支援するという情報を指示するＰＳ及びＣＳ結合位置更新要求をＭＭＥとＨＳＳ／ＨＬＲとの間のインターフェス（例えばＳ６ａ）を介して、結合ＴＡ及びＬＡ更新手順の一部として送信する。
【０００７】
ＭＭＥがＳＭＳメッセージに関連したＳＭＳシグナルリングを受信するとき、このようなシグナルリングは、ＩＷＦに伝達される。ＩＷＦは、ＭＡＰインターフェスとＤｉａｍｅｔｅｒインターフェスとの間でインターワーキングを行う。ＩＷＦによって、ＳＧｓインターフェスは不要となる。ＭＭＥがＤｉａｍｅｔｅｒインターフェスを使用してＩＷＦを介してＳＭＳシグナルリングを受けるからである。
【図面の簡単な説明】
【０００８】
【図１】ＳＧｓ上にＳＭＳを伝達する構造１００の一例である。
【図２】ＭＳＣサーバの機能をＭＭＥに合わせる方式で改善したＳＧｓ上にＳＭＳを伝達する構造２００の改善可能性を示す図である。
【図３】ＭＳＣサーバの機能をＭＭＥに合わせる方式で改善したＳＧｓ上にＳＭＳを伝達する構造３００の一例である。
【図４】図３のＰＳ／ＣＳ位置更新の具体的特徴を示した図である。
【図５】この明細書の技術的特徴が具現化される無線装置のブロック図を示す図である。
【発明を実施するための形態】
【０００９】
本明細書は、無線エンティティにおいてＳＭＳに関連した手順または動作に関連する。Ｅ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）でのＳＭＳ（Ｓｈｏｒｔ  Ｍｅｓｓａｇｉｎｇ  Ｓｅｒｖｉｃｅｓ）支援は、例えば、リリース−８（Ｒｅｌｅａｓｅ  ８）に関連した無線通信技術規格及びプロトコルに関連したＥＰＳ（Ｅｖｏｌｖｅｄ  Ｐａｃｋｅｔ  Ｓｙｓｔｅｍ）を定義する過程で最も多く論議された主題のうちの一つである。いわゆる「ｎａｔｉｖｅ  ＳＭＳ  ｏｖｅｒ  ＬＴＥ」と呼ばれる多様な技術（すなわち、ｎａｔｉｖｅ  ＳＭＳ）が提案されたが、本明細書に関連した概念が考案された時期には、該当技術らに対する確定がなされなかった。
【００１０】
たとえ、本明細書は、ＭＴＣ（Ｍａｃｈｉｎｅ  Ｔｙｐｅ  Ｃｏｍｍｕｎｉｃａｔｉｏｎｓ）に制限されないとしても、本明細書の一部技術的特徴は、ＭＴＣに関連して理解されることができる。ＳＩＭＴＣ（Ｓｙｓｔｅｍ  Ｉｍｐｒｏｖｅｍｅｎｔｓ  ｆｏｒ  Ｍａｃｈｉｎｅ  Ｔｙｐｅ  Ｃｏｍｍｕｎｉｃａｔｉｏｎｓ）の観点で、Ｍ２Ｍ通信のための「ｎａｔｉｖｅ  ＳＭＳ」の潜在的な効果が考慮され、関連した特徴がリリース−１１またはそれ以後の規格に反映されるように多くの努力があった。
【００１１】
ＳＧｓ（Ｓｅｒｖｉｃｅ  Ｇａｔｅｗａｙｓ）上へのＳＭＳのためのＡＳ（Ａｃｃｅｓｓ−Ｓｔｒａｔｕｍ）またはＮＡＳ（Ｎｏｎ−Ａｃｃｅｓｓ−Ｓｔｒａｔｕｍ）シグナルリングに対する変化を与えないように意図され、本明細書にかかる変化は、核心網（Ｃｏｒｅ  Ｎｅｔｗｏｒｋ）の最適化に制限されることができる。
【００１２】
図１は、ＳＧｓ（Ｓｅｒｖｉｃｅ  Ｇａｔｅｗａｙｓ）上へのＳＭＳがなされる概念を示す構造図１００である。
【００１３】
ネットワーク１００上において、ＳＭＳ−ＳＣ（Ｓｈｏｒｔ  Ｍｅｓｓａｇｉｎｇ  Ｓｅｒｖｉｃｅ−Ｓｅｒｖｉｃｅ  Ｃｅｎｔｅｒ）エンティティ１０１は、多様なネットワークエンティティとの協力を介してＭＳ（Ｍｏｂｉｌｅ  Ｓｔａｔｉｏｎ）１０８にＳＭＳメッセージを伝達する。すなわち、ＳＭＳ−ＳＣ１０１は、ＳＭＳ−ＧＭＳＣ／ＳＭＳ−ＩＷＭＳＣ（ＳＭＳ  Ｇａｔｅｗａｙ  ＭＳＣ／ＳＭＳ  Ｉｎｔｅｒｗｏｒｋｉｎｇ  ＭＳＣ）エンティティ１０２（該当エンティティは、ＳＭＳ−ＧＭＳＣまたはＳＭＳ−ＩＷＭＳＣと呼ばれることができる）と協力し、ＳＭＳを伝達するための手順を行う。その次に、ＳＭＳ−ＧＭＳＣ／ＳＭＳ−ＩＷＭＳＣ１０２は、ＳＭＳを伝達するためにＭＡＰインターフェス上においてＭＳＣ（Ｍｏｂｉｌｅ  Ｓｗｉｔｃｈｉｎｇ  Ｃｅｎｔｅｒ）サーバ１０４と協力する。ＭＳＣサーバ１０４は、ＳＧｓ（Ｓｅｒｖｉｃｅ  Ｇａｔｅｗａｙ（ｓ））上において交互にＭＭＥ（Ｍｏｂｉｌｉｔｙ  Ｍａｎａｇｅｍｅｎｔ  Ｅｎｔｉｔｙ）１０６と協力する。前記ＳＧｓは、ＭＳ１０８にＳＭＳメッセージを伝達するために使用される。
【００１４】
一方、ＳＭＳ−ＧＭＳＣ／ＳＭＳ−ＩＷＭＳＣ１０２は、ＭＡＰインターフェスを介してＨＳＳ／ＨＬＲ（Ｈｏｍｅ  Ｓｕｂｓｃｒｉｂｅｒ  Ｓｅｒｖｅｒ／Ｈｏｍｅ  Ｌｏｃａｔｉｏｎ  Ｒｅｇｉｓｔｅｒ）エンティティ１０３に接続されることができる。ＨＳＳ／ＨＬＲエンティティは、ＨＳＳまたはＨＬＲと呼ばれることができる。ＨＳＳ／ＨＬＲ１０３は、図示のように、ＭＳＣサーバ１０４を介してＭＭＥ１０６に接続されることができる。これにより、ＣＳ位置更新（ＣＳ  ｌｏｃａｔｉｏｎ  ｕｐｄａｔｅ）は、ＭＭＥ１０６からＨＳＳ／ＨＬＲ１０３に提供されることができる。また、ＨＳＳ／ＨＬＲ１０３、ＭＭＥ１０６がＨＳＳ／ＨＬＲ１０３にＰＳ位置更新（ＰＳ  ｌｏｃａｔｉｏｎ  ｕｐｄａｔｅ）を提供するＳ６ａインターフェスを介して、ＭＭＥ１０６に接続されることができる。
【００１５】
このような構造の潜在的短所は、核心網でＭＭ（Ｍｏｂｉｌｉｔｙ  Ｍａｎａｇｅｍｅｎｔ）シグナルリングを繰り返して、無線インターフェス上においてすべての結合アタッチ（ｃｏｍｂｉｎｅｄ  ａｔｔａｃｈ）または結合ＴＡ／ＬＡ更新要求がＣＳ（Ｃｉｒｃｕｉｔ  Ｓｗｉｔｃｈｅｄ）領域とＰＳ（Ｐａｃｋｅｔ  Ｓｗｉｔｃｈｅｄ）領域とに区分されて、核心網で位置情報を更新するということである。
【００１６】
ＳＧｓ上にＳＭＳを処理するさらに他の短所は、端末がただＥ−ＵＴＲＡＮ接続のみを支援する場合であっても、このような方式がユーザのＣＳ加入情報（ｓｕｂｓｃｒｉｐｔｉｏｎ）とＭＳＩＳＤＮとを要求するという点である。これは、ＭＳＩＳＤＮ無しでただＰＳ領域のみにおける通信を明確に要求しているＳＩＭＴＣワークアイテムの方向に合わない。
【００１７】
最終的に、ＳＧｓ上にＳＭＳを処理することは、移動通信事業者が３ＧＰＰ接続を具備しなくてもＭＳＣサーバ機能を要求する。
【００１８】
図２は、「ＭＳＣサーバ」機能をＭＭＥ２０６と合わせる方式で具現化した、ＳＧｓ上にＳＭＳ処理する最適化した構造２００の一例を示す。ここで、基本的には、ＭＴＣのために最適化した構造は、「ＳＭＳ−ｏｎｌｙ」としてＥ−ＵＴＲＡＮにアタッチ（ａｔｔａｃｈ）される人間基盤のＵＥにも有用であり、これによってＮＡＳまたはＡＳプロトコルの変化がないと仮定できる。
【００１９】
最適化した構造上においてＭＭシグナルが同じインターフェス（すなわち、Ｓ６ａインターフェス）上において行われるという点を考慮するとき、ＣＳ及びＰＳ位置更新（ｌｏｃａｔｉｏｎ  ｕｐｄａｔｅｓ）が一つの手順で合わせられることは、技術的に可能になる。
【００２０】
ＭＳＣサーバ機能をＭＭＥ２０６に併合させる方式で、ＭＭＥは、ＳＭＳ伝達のために主に使用されるＭＡＰインターフェスを引き受けることができる。ＭＡＰインターフェスをＭＭＥ上に置くことは、過去の多くの企業体により受容できないものとして取り扱われた。したがって、最適化した構造は、このようなインターフェスのためにＤｉａｍｅｔｅｒ変数（ｖａｒｉａｎｔ）を許諾しなければならない。過去になされたＭＡＰ−Ｄｉａｍｅｔｅｒ改善作業に鑑みて、ＳＭＳに関連したＭＡＰメッセージのためにＭＡＰ−Ｄｉａｍｅｔｅｒインターワーキング手順の追加的なセットを定義することは、技術的に具現可能である。
【００２１】
このような構造は、ＭＳ観点では、依然として「ＣＳ＋ＰＳ」に見えるが、この構造で「ＣＳ領域」は、完全に仮想的である。無線インターフェス上に伝達されるＬＡＩ（Ｌｏｃａｔｉｏｎ  Ａｒｅａ  Ｉｄｅｎｔｉｆｉｅｒｓ）は、ＭＭＥ／ＭＳＣが結合されたノードが移動端末に向けるＳＭＳの目的地であるということを識別すること以外には、いかなる特別な意味も持たない。ＳＭＳ−ＧＭＳＣ２０２及びＨＬＲ／ＨＳＳ２０３の間のＭＡＰインターフェス上においてＭＳＩＳＤＮが要求されるという点は事実であるが、とにかくＧＥＲＡＮ及びＵＴＲＡＮ上における「ＭＳＩＳＤＮのない構造」を拡張するために変更できる。
【００２２】
上述した問題を考慮すれば、以下のような特徴が提案されることができる。ＳＧｓ上に転送されるＳＭＳの最適化がＴＳ  ２３．８８８などの技術標準に適用され、ＳＭＳを伝達するためのＭＡＰ−Ｄｉａｍｅｔｅｒインターワーキングの具現が可能でありうる。結果的に、ＳＧｓ上に転送されるＳＭＳの最適化が本明細書を介して可能になる。
【００２３】
本明細書の技術的特徴により解決される問題と効果は、以下で詳細に説明される。
【００２４】
たとえ、本明細書の技術的特徴がＭ２Ｍ通信に制限されるのではないが、このような特徴は、Ｍ２Ｍ通信においてさらに有用でありうる。Ｍ２Ｍ通信がＧＳＭ、ＵＭＴＳ、ＬＴＥ及びその他の通信システムにおいて促進されるために、共通のサービス要求条件と具体的なサービス要求条件とが存在する。共通のサービス要求条件は、一般事務、アドレス、識別子、課金要件、保安要件、遠隔ＭＴＣ装置制御などを含むことができる。具体的なサービス要求条件は、ＭＴＣ特徴に関連した低い移動性、時間制御、時間−耐性、ＰＳ領域のみでの通信、小規模データ送信、移動端末からの通信、低い周期で移動端末に送信、ＭＴＣモニターリング、極度の低電力消費、位置に応じるトリガーリング（ｔｒｉｇｇｅｒｉｎｇ）、グループ基盤のＭＴＣ特徴がある。
【００２５】
具体的に、ＰＳ領域のみにおける通信は、高いデータレートの代りに、ネットワークが混雑な状態でＭＴＣ装置のデータ送信を遅延させるための意図として使用される。
【００２６】
一方、考慮されなければならないさらに他のイッシューは、ＭＴＣ装置トリガー（ｔｒｉｇｇｅｒ）である。多くのＭ２Ｍ応用例と使用例において、ＭＴＣ装置とＭＴＣサーバとの間でのポール−モデル（ｐｏｌｌ  ｍｏｄｅｌ）を具現することに関心があった。これは、ＭＴＣユーザは、ＭＴＣ装置から通信を制御することを望み、このような制御によりＭＴＣサーバから任意にＭＴＣ装置が接続されることを防止することを願うためである。また、ＭＴＣ装置が通信を正常に開始する応用例において、ＭＴＣサーバがＭＴＣ装置からデータをポーリング（ｐｏｌｌｉｎｇ）する必要がありうる。
【００２７】
ネットワークに連続的にアタッチ（ａｔｔａｃｈ）されないＭＴＣ装置や、ＰＤＰ／ＰＤＮ接続が常に活性されることではないＭＴＣ装置のためには、ＭＴＣサーバからのトリガー指示子に基づいてＰＤＰ／ＰＤＮ接続を設立しネットワークにアタッチされるＥＮＭＴＣ装置をトリガーすることが好ましい。
【００２８】
以下の機能は、ＭＴＣ装置をトリガーするために通常要求される機能である。
【００２９】
−ＰＬＭＮは、ＭＴＣサーバからトリガー指示子に基づいてＭＴＣサーバとの通信を開始するようにＭＴＣ装置をトリガーできる。
【００３０】
−ＭＴＣ装置は、ネットワークからトリガー指示子を受信し、該当指示子を受信する時にＭＴＣサーバとの通信を設定できる。可能なオプションは、次の通りである。
−ディタッチ（ｄｅｔａｃｈｅｄ）状態でトリガー指示子を受信し通信を行う。
【００３１】
−アタッチ（ａｔｔａｃｈｅｄ）状態でトリガー指示子を受信し、ＭＴＣ装置は、ＰＤＰ／ＰＤＮ接続を具備しない。
【００３２】
−アタッチ（ａｔｔａｃｈｅｄ）状態でトリガー指示子を受信し、ＭＴＣ装置は、ＰＤＰ／ＰＤＮ接続を具備する。
【００３３】
現在もＭＴＣ装置をトリガーできる多様な解決策（例えば、ｕｎａｎｓｗｅｒｅｄ  ＣＳ  ｃａｌｌ  ａｔｔｅｍｐｔｓ、ＳＭＳ送信等）が存在することに留意しなければならない。しかしながら、このような解決策は、大規模で使用される場合（例えば、ＭＳＩＳＮＤｓに基づく場合）短所が存在し、ＭＴＣ装置がアタッチされた状態においてのみ具現化し難いという問題がある。
【００３４】
しかしながら、さらに適切な方式でＭＴＣ機能を具現し支援するためには、トリガーリングをするための手段を改善することが必要である。上述した技術的特徴を認識し、本明細書の発明者は、以下のような技術的特徴を提案する。
【００３５】
具現のために、ＳＭＲ（ｒｅｌａｙ）とＳＭＣ（ｃｏｎｎｅｃｔｉｏｎ）エンティティとがＭＭＥで新しく具現される。言い換えれば、ＭＭＥは、ただＳＭＲとＳＭＣ階層のみをＭＭＥ内で具現すればよい。従来の技術によれば、ＭＭＥは、「ｓｔａｔｅｌｅｓｓ」であるが、これは、ＭＭＥは、単純にメッセージを伝達するだけである。しかしながら、本明細書によれば、ＭＭＥは、ＳＭＲ及びＳＭＣが加えられてｓｔａｔｅ  ｍａｃｈｉｎｅｓを有する。これにより、Ｓｅｒｖｉｃｅ  Ｇａｔｅｗａｙエンティティは、「結合」されたものとして取り扱われ、Ｓｅｒｖｉｃｅ  Ｇａｔｅｗａｙエンティティは、見えないと言える。例えば、ＳＭＣは、コール−フィードバック（ｃａｌｌ−ｆｅｅｄｂａｃｋ）手順などを行うために、移動端末のＥＭＭに直接的に接続できる。
【００３６】
図３は、ＭＳＣサーバ機能をＭＭＥ３０６に合わせる方式で具現した、ＳＧｓ上にＳＭＳ処理する最適化した構造３００の一例を示す。実質的にＮＡＳプロトコルまたはＡＳプロトコルに変化がない。
【００３７】
ネットワーク３００において、ＳＭＳ−ＳＣ（Ｓｈｏｒｔ  Ｍｅｓｓａｇｉｎｇ  Ｓｅｒｖｉｃｅ−Ｓｅｒｖｉｃｅ  Ｃｅｎｔｅｒ）エンティティ３０１は、他のエンティティとの協力を介して、ＳＭＳメッセージをＭＳ３０８に伝達する。すなわち、ＳＭＳ−ＳＣ３０１は、ＳＭＳ−ＧＭＳＣ／ＳＭＳ−ＩＷＭＳＣ（ＳＭＳ  Ｇａｔｅｗａｙ  ＭＳＣ／ＳＭＳ  Ｉｎｔｅｒｗｏｒｋｉｎｇ  ＭＳＣ）エンティティ３０２と協力してＳＭＳ伝達手順を行う。その次に、ＳＭＳ−ＧＭＳＣ／ＳＭＳ−ＩＷＭＳＣ３０２は、ＳＭＳ伝達を支援するＩＷＦエンティティ３０４を介して、新しく定義されるＭＭＥ３０６（すなわち、ＭＳＣ機能がサーバ内部に具現されたＭＭＥ）と協力する。図１に示すＳＧｓ（Ｓｅｒｖｉｃｅ  Ｇａｔｅｗａｙ（ｓ））の代りに、ＩＷＦ３０４及びＭＭＥ３０６の間に定義されるＤｉａｍｅｔｅｒインターフェスは、ＳＭＳ伝達のために具現化される。Ｄｉａｍｅｔｅｒインターフェスは、通常のＭＭＥにより使用されるインターフェスで、ＳＧ（ｓ）は、通常のＭＳＣにより使用されるインターフェスであるから、ＳＭＳ支援のためにＭＳＣ機能を有するＭＭＥ３０６は、ＳＧ（ｓ）の代りにＤｉａｍｅｔｅｒインターフェス上において他の核心網エンティティに接続されることができる。
【００３８】
ＩＷＦ３０４は、ネットワーク３００の必須要素ではないので、ＩＷＦ３０４は省略されうることに留意しなければならない。ＩＷＦ３０４がネットワーク３００に具現されない場合、ＳＭＳ−ＧＭＳＣ／ＳＭＳ−ＩＷＭＳＣ３０２は、ＭＡＰ機能を含むことができ、これによりＳＭＳ−ＧＭＳＣ／ＳＭＳ−ＩＷＭＳＣ３０２は、新しく定義されるＭＭＥ３０６にＤｉａｍｅｔｅｒインターフェスを直接的に提供するようになる。すなわち、通常にＭＳＣにより使用されるＭＡＰインターフェスは、ＳＭＳ−ＧＭＳＣ／ＳＭＳ−ＩＷＭＳＣ３０２がＭＡＰ機能を含む場合、ＳＭＳ−ＧＭＳＣ／ＳＭＳ−ＩＷＭＳＣ３０２とＭＭＥ３０６との間で要求されない。
【００３９】
一方、ＳＭＳ−ＧＭＳＣ／ＳＭＳ−ＩＷＭＳＣ３０２は、ＭＡＰインターフェスを介してＨＳＳ／ＨＬＲ（Ｈｏｍｅ  Ｓｕｂｓｃｒｉｂｅｒ  Ｓｅｒｖｅｒ／Ｈｏｍｅ  Ｌｏｃａｔｉｏｎ  Ｒｅｇｉｓｔｅｒ）エンティティ３０３と接続される。ＨＳＳ／ＨＬＲ３０３は、ＭＭＥ３０６に接続され、いわゆる「ＰＳ＋ＣＳ」位置更新は、Ｓ６ａインターフェスを介してＭＭＥ３０６からＨＳＳ／ＨＬＲ３０３に提供される。具体的には、ＭＭＥ３０６は、結合ＴＡ及びＬＡ更新手順（ｃｏｍｂｉｎｅｄ  ＴＡ／ＬＡ  ｕｐｄａｔｅ  ｐｒｏｃｅｄｕｒｅ）を行い、これにより、ＭＳ３０８の移動性管理は、ＴＡ（すなわち、ＰＳ位置更新（ＰＳ  ｌｏｃａｔｉｏｎ  ｕｐｄａｔｅ）に関連する地域）及びＬＡ（すなわち、ＣＳ位置更新（ＣＳ  ｌｏｃａｔｉｏｎ  ｕｐｄａｔｅ）に関連する地域）に基づいて行われる。最適化された構造においてＭＭシグナルリングは、同じインターフェス（すなわち、Ｓ６ａインターフェス）上に伝達され、図１を参考すれば、ＣＳ及びＰＳ位置更新は、一つの手順で併合される。
【００４０】
他の観点から見ると、ＭＡＰ−Ｄｉａｍｅｔｅｒ  ＩＷＦ（ｉｎｔｅｒｗｏｒｋｉｎｇ  ｆｕｎｃｔｉｏｎ）３０４は、ＭＭＥノード３０６上においてＭＡＰインターフェス支援に対する必要を回避するために、ＳＭＳフォワード経路に基づいて使用されることができる。ここで、ＩＷＦ３０４は、３ＧＰＰ  ＴＳ  ２９．３０５などのような技術標準で説明されたものと似ていることができる。
【００４１】
構造３００は、ＭＳ観点では、依然として「ＣＳ＋ＰＳ」に見えるが、この構造でＣＳ領域は、完全に仮想的（ｖｉｒｔｕａｌ）である。無線インターフェス上に伝達されるＬＡＩｓ（Ｌｏｃａｔｉｏｎ  Ａｒｅａ  Ｉｄｅｎｔｉｆｉｅｒｓ）は、結合されたＭＭＥ／ＭＳＣノード３０６が移動端末に向けるＳＭＳの目的地であることを識別すること以外には、いかなる特別な意味も有さない。
【００４２】
本明細書の多数の実施形態に基づく場合、ＭＳＩＳＤＮパラメーターは、ＳＭＳ−ＧＭＳＣ３０２及びＨＬＲ／ＨＳＳ３０３の間のＭＡＰインターフェス上において依然として要求されうるが、「ＭＳＩＳＤＮ要求されない条件」を満たすために変更されうる。インターフェス上においてＭＳＩＳＤＮパラメーターを代替することに関しては、本明細書でもうこれ以上詳細に述べない。
【００４３】
従来に存在するノードまたは機能に対しては、以下のような影響を考慮することができる。
−Ｓ６ａ上にＣＳ領域移動性管理（ＣＳ  ｄｏｍａｉｎ  ｍｏｂｉｌｉｔｙ  ｍａｎａｇｅｍｅｎｔ）メッセージをピギーバック（Ｐｉｇｇｙｂａｃｋ）させること
−ＳＭＳに関連したＭＡＰ手順を処理するために、ＭＭＥ上においてＭＳＣサーバ機能が選択的に（ｏｐｔｉｏｎａｌ）並存（ｃｏｌｌｏｃａｔｉｏｎ）すること（Ｄｉａｍｅｔｅｒ上にインターワーキングされうる）
−ＳＭＳのためのＭＡＰ手順に関連した３ＧＰＰ  ＴＳ  ２９．３０５  ＩＷＦ（ｉｎｔｅｒｗｏｒｋｉｎｇ  ｆｕｎｃｔｉｏｎ）上のＭＡＰ−Ｄｉａｍｅｔｅｒインターワーキング手順の追加
以下、具体的な手順がさらに説明される。
【００４４】
上述したように、新しく定義されたＭＭＥ３０６は、ＳＭＳを支援するＭＳＣ機能を含むために、ＳＭＳメッセージとそれに関連したシグナルリングとは、ＳＭＳ−ＳＣ３０１から多様なネットワークノード（例えば、ＳＭＳ−ＧＭＳＣ／ＳＭＳ−ＩＷＭＳＣ３０２及びＩＷＦ３０４）を介して伝達することができる。さらに具体的には、上述したＰＣ／ＳＣ位置更新（ＰＣ／ＣＳ  ｌｏｃａｔｉｏｎ  ｕｐｄａｔｅ）が行われると、現在ＭＳ３０８を管理するＭＭＥ３０６に対する情報は、ＨＳＳ／ＨＬＲ３０３に知られる。また、ＳＭＳ−ＳＣ３０１からＭＳ３０８にＳＭＳを伝達しようとするＳＭＳ−ＧＭＳＣ／ＳＭＳ−ＩＷＭＳＣ３０２は、ＨＳＳ／ＨＬＲ３０３から更新された情報を獲得し、ＳＭＳをＭＭＥ３０６に伝達する。ＭＭＥにＳＭＳを伝達するとき、ＩＷＦ３０４がさらに使用されうるが、ＩＷＦ３０４は、ＭＡＰインターフェスとＤｉａｍｅｔｅｒインターフェスとの間でインターワーキングを提供する機能を行う。
【００４５】
Ｓ６ａ上に新しく定義されるＰＳ／ＣＳ位置更新を行うとき、ＭＭＥ３０６に関する情報がＨＳＳ／ＨＬＲ３０３に提供される。例えば、上述したＣＳ領域移動性管理（ＣＳ  ｄｏｍａｉｎ  ｍｏｂｉｌｉｔｙ  ｍａｎａｇｅｍｅｎｔ）メッセージが提供されることができる。また、図３の一例は、ＰＳ／ＣＳ位置更新（例えば、ＴＡ／ＬＡ位置更新）以後にＨＳＳ／ＨＬＲ３０３がＭＭＥ３０６がＳＭＳを支援するという情報（または、ＭＭＥ３０６が新しい類型という情報またはＭＳＣ機能を有しているという情報）を知っていることを前提としている。これは、ＭＭＥが従来のものであれば、ＨＬＲ／ＨＳＳ３０３がＭＭＥ３０６にＳＭＳを伝達するのを絶対に許諾しないはずであるためである。したがって、上述したＳ６ａ上にＰＳ／ＣＳ位置更新を行う概念は、ＭＭＥ３０６がＳＭＳを支援するという情報をＨＳＳ／ＨＬＲ３０３に提供することを含む。
【００４６】
図４は、図３に示すＰＳ／ＣＳ位置更新の具体的特徴を示した図である。図３において説明されたように、本明細書は、ＭＭＥ３０６がＭＳＣ機能を含む方式でＳＭＳを支援する。ＳＭＳを正常に処理するために、ＭＭＥ３０６は、ＨＳＳ／ＨＬＲ３０３にうまく登録されなければならない。図４に示す方法は、ＳＭＳのために新しく定義されたＭＭＥを登録する方法に関連する。
【００４７】
上述したように、本明細書は、ＭＭＥとＨＳＳ／ＨＬＲとの間のインターフェス上にＰＳ／ＣＳ結合位置更新を提案し、これによりＰＳ／ＣＳ結合位置更新がＭＥの位置更新を可能にするシグナルリング（例えば、Ａｔｔａｃｈ  ｒｅｑｕｅｓｔ、ｃｏｍｂｉｎｅｄ  ＩＳＭＩ  ａｔｔａｃｈ  ｒｅｑｕｅｓｔ、または、Ｃｏｍｂｉｎｅｄ  ＴＡ／ＬＡ  ｕｐｄａｔｅ）により開始される（Ｓ４０５）。このようなＵＥの要求に対応して、ＭＭＥ３０６は、ＰＳ／ＣＳ結合位置更新要求をＭＭＥ３０６とＨＳＳ／ＨＬＲ３０３との間のインターフェス（例えば、Ｓ６ａ）上に送信する。
【００４８】
上述したように、ステップＳ４１０にて行われるＰＳ／ＣＳ結合位置更新要求は、ＭＭＥ３０６がＳＭＳを支援するという情報を指示する指示子（または、フラグ（ｆｌａｇ）／制御情報）を含む。例えば、提案される指示子は、ＭＭＥ３０６により使用され、ＨＳＳ／ＨＬＲ３０３にＭＭＥ３０６がＭＳＣに関連したＳＧｓが設立される必要なしでＳＭＳ伝達を行うことができるということを知らせる機能を行うことができる。仮に、ＭＭＥ３０６がＳＭＳ伝達を支援しない場合、ＨＳＳ／ＨＬＲ３０３は、ＵＬＡ（３ＧＰＰ−Ｕｐｄａｔｅ−Ｌｏｃａｔｉｏｎ−Ａｎｓｗｅｒ）内でＳＭＳに関連した情報をＭＭＥ３０６に伝達しない。また、ＨＳＳ／ＨＬＲ３０３がこのような特徴を支援しない場合、ＨＳＳ／ＨＬＲ３０３は、移動端末に転送されるＳＭＳのための登録に対するいかなる要求も無視でき、また、ＭＭＥ３０６は、上述した指示子を無視し移動端末に転送されるＳＭＳに対した登録要求をＨＳＳ／ＨＬＲ３０３に伝達しないことができる。
【００４９】
また、ステップＳ４１０にて行われるＰＳ／ＣＳ結合位置更新要求は、多様なフィールドと要素とを含むことができる。例えば、ＭＭＥがＳＭＳ伝達機能を使用することを好んでいるかどうかに対する選好度情報を含むことができる。具体的に前記選好度情報は、ＭＭＥがＳＭＳ伝達機能を使用することを好んでいるかどうかを指示できる。また、ステップＳ４１０にて行われる前記ＰＳ／ＣＳ結合位置更新要求は、ＭＭＥ３０６を介してＭＳ３０８にＳＭＳに関連したシグナルリングを伝達するために、例えば、ＩＳＤＮ番号のようなＭＭＥの識別情報（または、番号情報）を含むことができる。また、ステップＳ４１０にて行われるＰＳ／ＣＳ結合位置更新は、ＣＳ領域にいかなる潜在的登録を要求したＭＳ３０８は、ＳＭＳ獲得のみのためにこういう登録を要求したことであり、ＣＳ領域から他のサービス（上述したＳＭＳのみによるＥ−ＵＴＲＡＮへのａｔｔａｃｈ遂行）を要求しなかったということを指示する情報をさらに含むことができる。
【００５０】
ＰＳ／ＣＳ結合位置更新要求に対応して、ＨＳＳ／ＨＬＲ３０３は、ＭＭＥ３０６に応答（図示せず）を送信して、ＰＳ／ＣＳ結合要求更新を完了する（Ｓ４１５）。
【００５１】
ＭＭＥ３０６が成功的に登録された以後、移動端末へ向かうＳＭＳは、ＭＭＥ３０６を介してＭＳ３０８に伝達される。具体的には、図３に説明されたように、移動端末へ向かうＳＭＳに関連したＳＭＳシグナルリングは、ＩＷＦ３０４を介してＳＭＳ−ＧＭＳＣ／ＳＭＳ−ＩＷＭＳＣ３０２から伝達される（Ｓ４２０）。ＳＭＳシグナルリングがＭＭＥ３０６に伝達される場合、ＤｉａｍｅｔｅｒインターフェスがＩＷＦ３０４とＭＭＥ３０６との間で使用される。または、ＩＷＦ３０４がネットワーク３００に具現されない場合、ＳＭＳシグナルリングは、ＳＭＳ−ＧＭＳＣ／ＳＭＳ−ＩＷＭＳＣ３０２から直接的に受信されることができる。如何なる場合にも、ＳＭＳ伝達は、ＭＳＣに関連して上述したＳＧｓを設立する必要無しで行われうる。ＭＭＥ３０６に関連したシグナルリングが伝達される場合、移動端末へ向かうＳＭＳメッセージは、該当シグナルリングを利用してＭＳ３０８に伝達される。
【００５２】
本明細書に説明された提案及び概念を評価してみれば、以下のような技術的効果を得ることができる。
【００５３】
−Ｅ−ＵＴＲＡＮ装置のための核心網での移動性管理（ＭＭ）シグナルリングの量が半分に減る。
【００５４】
−Ｅ−ＵＴＲＡＮを介して接続した装置のためにＰＳ領域においてのみ使用される加入情報を許諾する。
【００５５】
−ＡＳまたはＮＡＳプロトコルには変化がなく、このためにただＳＭＳのみでＥ−ＵＴＲＡＮにアタッチされたｈｕｍａｎ−ａｔｔｅｎｄｅｄ  ＵＥのために使用されることができる。
【００５６】
以下、本明細書の一例に関連した追加的な説明を紹介する。ＭＴＣ装置トリガーリング技術は、ユーザ平面（ｕｓｅｒ  ｐｌａｎ）を使用する制御平面（ｃｏｎｔｒｏｌ  ｐｌａｎｅ）上の手順である。ＰＳ領域は、通信伝達手順のためにＩＰパケットを使用することができる。ＣＳ領域は、通信伝達手順のために、回線またはパイプ（ｐｉｐｅｓ）を使用することができる。ＮＡＳシグナルリングは、ＭＭ（Ｍｏｂｉｌｉｔｙ  Ｍａｎａｇｅｍｅｎｔ）、ＳＭ（Ｓｅｓｓｉｏｎ  Ｍａｎａｇｅｍｅｎｔ）、ＣＣ（Ｃｏｒｅ  Ｃｏｎｔｒｏｌ）技術を含む。
【００５７】
ここで、ＳＭＳメッセージは、ＭＭシグナルリング（すなわち、ＳＭＳシグナルリング）に含まれることができる。ＳＭＳ−ＳＣが伝達されるＳＭＳを獲得する場合、ＨＬＲ／ＨＳＳは、ＳＧＳＮ及び／またはＭＳＣに対した情報を提供する。具体的には、ただＭＳＣに対する情報のみを提供できる。この明細書の基本的な概念は、ＬＴＥにおいてのみ動作する端末を支援するＭＳＣに対する依存性を減らすことである。言い換えれば、ＣＳ領域の使用を回避し、ＭＭＥ上において従来のプロトコルの使用を回避することである。
【００５８】
ＬＴＥ技法によれば、Ｅ−ＵＴＲＡＮ上にＳＭＳを伝達することは、ＭＳＣサーバに依存するが、これには問題が多かった。これにより、一つまたはそれ以上のＭＳＣサーバを介して、ＭＴＣのためにＬＴＥにおいてのみ動作する端末を支援しなければならない必要性は回避されなければならない。これを達成するために、特定のＭＳＣ機能は、ＭＭＥに合わせられる。このようなＭＳＣの機能は、例えば３ＧＰＰ  ＴＳ  ２４．０１１に定義されたことのような、ＳＭ−ＲＰ（ｓｈｏｒｔ  ｍｅｓｓａｇｅ  ｒｅｌａｙ  ｐｒｏｔｏｃｏｌ）及びＳＭ−ＣＰ（ｓｈｏｒｔ  ｍｅｓｓａｇｅ  ｃｏｎｔｒｏｌ  ｐｒｏｔｏｃｏｌ）を支援するために、無線インターフェス上においてＳＭＳを処理することを含む。
【００５９】
また、ＳＭＳ伝達のためのいわゆる「Ｄｉａｍｅｔｅｒ」インターフェス（例えば、「３ＧＰＰ  ＴＳ  ２９．３０５：Ｍａｐｐｉｎｇ  ｏｆ  Ｐｒｏｃｅｄｕｒｅｓ」に定義される）及び「ＣＳ−ｆａｌｌｂａｃｋ」（例えば、「３ＧＰＰ  ＴＳ  ２３．２７２」に定義される）が支援されることができる。
【００６０】
例えば、移動端末は、２Ｇ／３Ｇネットワークに接続される場合、ＳＭＳのためにＰＳ領域を使用することができ、ＬＴＥネットワークに接続される場合には、ＳＭＳのためにＣＳ領域を使用することができなければならない。このような観点で、本明細書は、既存の他の提案とは異なり、ＵＥにほぼ影響を及ぼさない。
【００６１】
本明細書は、ＭＳＣ機能を有するＭＭＥからＨＳＳ／ＨＬＲ（Ｈｏｍｅ  Ｓｕｂｓｃｒｉｂｅｒ  Ｓｅｒｖｅｒ／Ｈｏｍｅ  Ｌｏｃａｔｉｏｎ  Ｒｅｇｉｓｔｅｒ）に、ＰＳ（Ｐａｃｋｅｔ  Ｓｗｉｔｃｈｅｄ）及びＣＳ（Ｃｉｒｃｕｉｔ  Ｓｗｉｔｃｈｅｄ）結合位置更新要求（ｃｏｍｂｉｎｅｄ  ｌｏｃａｔｉｏｎ  ｕｐｄａｔｅ  ｒｅｑｕｅｓｔ）を前記ＭＭＥ及びＨＳＳ／ＨＬＲ間のインターフェスを介して、結合ＥＰＳ／ＩＭＳＩ（Ｅｖｏｌｖｅｄ  Ｐａｃｋｅｔ  Ｓｙｓｔｅｍ／Ｉｎｔｅｒｎａｔｉｏｎａｌ  Ｍｏｂｉｌｅ  Ｓｕｂｓｃｒｉｂｅｒ  Ｉｄｅｎｔｉｔｙ）アタッチ手順の一部または結合ＴＡ／ＬＡ更新手順の一つとして送信するステップと、ＳＭＳ−ＳＣ（ＳＭＳ  Ｓｅｒｖｉｃｅ  Ｃｅｎｔｅｒ）またはＳＭＳ−ＧＭＳＣ／ＩＷＭＳＣ（ＳＭＳ  Ｇａｔｅｗａｙ  ＭＳＣ／Ｉｎｔｅｒｗｏｒｋｉｎｇ  ＭＳＣ）から前記ＭＭＥで、単一モードＥ−ＵＴＲＡＮ装置に伝達されるＳＭＳメッセージに関連したＳＭＳシグナルリングを受信するステップとを含むものの、前記ＳＭＳシグナルリングは、前記ＳＭＳ−ＳＣまたは前記ＳＭＳ−ＧＭＳＣ／ＩＷＭＳから、ＭＡＰ（Ｍｅｄｉａ  Ａｃｃｅｓｓ  Ｐｒｏｔｏｃｏｌ）インターフェスとＤｉａｍｅｔｅｒインターフェス間のインターワーキング（ｉｎｔｅｒｗｏｒｋｉｎｇ）を提供するＩＷＦ（Ｉｎｔｅｒ−Ｗｏｒｋｉｎｇ  Ｆｕｎｃｔｉｏｎ）を介して受信される。
【００６２】
ここで、ＣＳ領域情報は、ＭＭメッセージパラメーター、ＭＳＣアドレス、ＶＬＲ数（ＶＬＲ  ｎｕｍｂｅｒ）を含むグループのうち、少なくとも一つを含む。前記ＭＭＥとＨＳＳ／ＨＬＲとの間のインターフェスは、Ｓ６ａインターフェスでありうる。前記結合ＴＡ／ＬＡ更新手順のＴＡは、ＰＳ領域手順に関連し、前記結合ＴＡ／ＬＡ更新手順のＬＡは、ＣＳ領域手順に関連する。前記単一モードＥ−ＵＴＲＡＮ装置は、ＬＴＥ  ｏｎｌｙ装置である。前記ＭＭＥに付加されるＭＳＣ機能は、無線インターフェスにＳＭＳを伝達し、Ｄｉａｍｅｔｅｒインターフェス上にＳＭＳを伝達する機能のうち、少なくとも一つを含む。前記無線インターフェスは、ＳＭ−ＲＰプロトコルとＳＭ−ＣＰプロトコルのうち、少なくとも一つである。前記送信するステップと受信するステップとは、ＭＴＣ装置トリガーリングに関連し、前記ＭＭＥは、ＬＴＥネットワークの一部である。
【００６３】
図５は、上述した一例が適用される無線装置の一例を示す。このような装置は、ＣＮ（ｃｏｒｅ  ｎｅｔｗｏｒｋ）の一部として具現することができる。無線装置１０００は、プロセッサ１０１０、メモリ１０２０、トランシーバーユニット１０３０を備えることができる。
【００６４】
プロセッサ１０１０は、上述した機能、手順、方法を具現するように設定されることができる。ラジオインターフェスプロトコル（ｒａｄｉｏ  ｉｎｔｅｒｆａｃｅ  ｐｒｏｔｏｃｏｌ）の階層（ｌａｙｅｒ）は、プロセッサに具現化することができる。プロセッサ１０１０は、上述した動作を駆動するための手順を行うことができる。メモリ１０２０は、動作的にプロセッサ１０１０に接続され、ＲＦユニット１０３０は、プロセッサ１０１０に動作的に接続される。
【００６５】
プロセッサ１０１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を備えることができる。メモリ１０２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部１０３０は、無線信号を処理するためのベースバンド回路を含むことができる。実施形態がソフトウェアにより具現化される時、上述した技法は、上述した機能を行うモジュール（過程、機能など）により具現化することができる。モジュールは、メモリ１０２０に格納され、プロセッサ１０１０により実行することができる。メモリ１０２０は、プロセッサ１０１０の内部または外部にありえ、広く知られた多様な手段でプロセッサ１０１０と接続されることができる。
【００６６】
本明細書の技術的特徴及び概念は、多様な類型のユーザ装置（移動端末、ハンドセット、無線通信装置等）及び／またはネットワーク装置、エンティティ、要素などに適用され、ＬＴＥネットワークなどでＭ２ＭまたはＭＴＣを支援するために設定されることができる。
【００６７】
上述した実施形態は、多様な一例を含む。通常の技術者であれば、発明のすべての可能な一例の組み合わせが説明されることができないという点を理解するはずであり、また本明細書の技術から多様な組み合わせが生じうるという点を理解するはずである。よって、本発明の保護範囲は、以下の請求項に記載された範囲から逸脱しない範囲内で、詳細な説明に記載された多様な一例を組み合わせて判断しなければならないはずである。
【図１】
0005933015.tif 000002
【図２】
0005933015.tif 000003
【図３】
0005933015.tif 000004
【図４】
0005933015.tif 000005
【図５】
0005933015.tif 000006